(57)【特許請求の範囲】
【請求項１】
脚部に装着される靴下のうちの脛に対応する筒状部分を伸長状態に保持する為のソックスサスペンダーにおいて、
前記筒状部分の内面に沿うように装着可能な細長い保持部材と、
前記保持部材の上端側部分に設けられ且つ前記筒状部分の内面部に係合可能な第１の係合フック群と、
前記保持部材の長さ方向中間部分に設けられ且つ前記筒状部分の内面部に係合可能な第２の係合フック群と、
前記保持部材が下方へ移動しないように規制する移動規制機構とを有する伸長保持ユニットを備えたことを特徴とするソックスサスペンダー。
【請求項２】
前記移動規制機構は、前記保持部材の下端側部分に設けられ且つ前記筒状部分の内面部に係合可能な第３の係合フック群を有することを特徴とする請求項１に記載のソックスサスペンダー。
【請求項３】
前記移動規制機構は、前記脛の下端側部分の外周面に解除可能に装着されるバンド部材と、前記保持部材の下端側部分を前記バンド部材に連結する連結部とを有することを特徴とする請求項１に記載のソックスサスペンダー。
【請求項４】
前記保持部材は前記筒状部分の上端側部分から下端側部分まで延びる長さを有し、
前記伸長保持ユニットは、伸長状態にした前記筒状部分の内面と前記脛の間に装着され且つ前記筒状部分を伸長状態に保持するように構成されたことを特徴とする請求項１〜３の何れか１項に記載のソックスサスペンダー。
【請求項５】
前記脛の左右両側に装着される１対の伸長保持ユニットを備えたことを特徴とする請求項１に記載のソックスサスペンダー。
【請求項６】
前記保持部材は、合成樹脂製の０．１ｍｍ〜１．０ｍｍの厚さの板状部材であって前記筒状部分から作用する圧縮力に耐え得る剛性を有する板状部材で構成されていることを特徴とする請求項１に記載のソックスサスペンダー。
【請求項７】
前記第１，第２の係合フック群は、夫々、面ファスナーのオス部材のセグメントで構成されていることを特徴とする請求項１に記載のソックスサスペンダー。
【請求項８】
前記第３の係合フック群は、面ファスナーのオス部材のセグメントで構成されていることを特徴とする請求項２に記載のソックスサスペンダー。
【請求項９】
前記バンド部材は、前記脛の下端側部分の外周面に装着されるバンド本体と、このバンド本体の一端部分を他端部分に解除可能に結合する結合機構と、前記連結部を構成する第１の面ファスナーとを有することを特徴とする請求項３に記載のソックスサスペンダー。
【請求項１０】
前記結合機構が第２の面ファスナーで構成されたことを特徴とする請求項９に記載のソックスサスペンダー。
【請求項１１】
前記１対の伸長保持ユニットの移動規制機構が共通の１つのバンド部材を有することを特徴とする請求項５に記載のソックスサスペンダー。
【発明の詳細な説明】
【技術分野】
【０００１】
本発明は、ソックスサスペンダーに関し、人体に装着した靴下（ソックス）の筒状部分の内側に装着可能なソックスサスペンダーに関する。
【背景技術】
【０００２】
従来の通常のソックスサスペンダーは、伸縮性を有し環状に連結可能なバンド部材であって、脚部の脛の膝下部位に装着されるバンド部材と、このバンド部材に縫い付けられた１対の吊りベルトと、これら吊りベルトの下端部に取付けられたパッチン錠（ガーターストラップクリップ）とを備えている。
【０００３】
特許文献１に記載のソックスサスペンダーは、環状の又は環状に連結可能なゴムバンドと、このゴムバンドの２箇所から下方へ延びる釣しゴムバンドと、各釣しゴムバンドの下端に付設された留め具とを備えている。
【０００４】
特許文献２に記載のソックスサスペンダーは、円環状に連結可能なガーター（バンド部材）と、そのガーターの外面に付設された複数の面ファスナーの雄部材のセグメントと備えており、ガーターを脛の膝下部位に装着し、足と脛にはいた靴下の上端部分をガーターの外側に被せることで、靴下の上端部分を留めて、靴下を伸長状態に保持するように構成されている。
【先行技術文献】
【特許文献】
【０００５】
【特許文献１】実開平３−６３５２１号公報
【特許文献２】米国特許第３，５０１，７７４号公報
【発明の概要】
【発明が解決しようとする課題】
【０００６】
従来の通常のソックスサスペンダーを脚部に装着する際には、バンド部材を脛の上部（膝下部位）に装着し、１対の吊りベルトの下端のパッチン錠を靴下の上端部に連結しなければならないため、ソックスサスペンダーの人体の脚部への着脱に時間を要し、面倒であった。
【０００７】
しかも、バンド部材をタイトに装着すると脛を圧迫するため違和感があり、バンド部材の周長を調節して締め付け力を弱くするとバンド部材が下方へズレ動き易くなるという問題があった。
また、バンド部材と１対の吊りベルトが外観に現れるため外観の意匠性も低下する。更に、パッチン錠は金属部品を含んでいるため製作費も高価になる。
【０００８】
特許文献２のソックスサスペンダーは、脛の膝下部位まで延びる長い靴下を止めるには適しているが、筒状部分の上端が脛の途中部に位置するような靴下を止めることは困難である。何故なら、ガーターが下方ほど細い脛の形状に応じて下方へズレ動くからである。
【０００９】
本発明の目的は、靴下の筒状部分の内面側に装着可能で、簡単に着脱可能で、装着に伴う違和感も殆どないようなソックスサスペンダーを提供することである。
【課題を解決するための手段】
【００１０】
本発明に係るソックスサスペンダーは、脚部に装着される靴下のうちの脛に対応する筒状部分を伸長状態に保持する為のソックスサスペンダーにおいて、前記筒状部分の内面に沿うように装着可能な細長い保持部材と、前記保持部材の上端側部分に設けられ且つ前記筒状部分の内面部に係合可能な第１の係合フック群と、前記保持部材の長さ方向中間部分に設けられ且つ前記筒状部分の内面部に係合可能な第２の係合フック群と、前記保持部材が下方へ移動しないように規制する移動規制機構とを有する伸長保持ユニットを備えたことを特徴としている。
【００１１】
上記の構成によれば、伸長保持ユニットは、保持部材と第１，第２の係合フック群と移動規制機構とを有し、保持部材を靴下の筒状部分の内面に沿うように装着すると、保持部材は移動規制機構により下方へ移動しないように規制されるため、第１，第２の係合フック群を前記筒状部分の内面部に係合させると、前記筒状部分は下方へ移動しないように規制されて伸長状態を保持する。
【００１２】
本発明は、次のような種々の好ましい形態を採ることができる。
第１の形態においては、前記移動規制機構は、前記保持部材の下端側部分に設けられ且つ前記筒状部分の内面部に係合可能な第３の係合フック群を有する。
上記の構成によれば、筒状部分の下端側部分は殆ど下方移動しないため、第３の係合フック群を前記筒状部分の下端側部分に係合させた状態では、保持部材が前記筒状部分により下方移動しないように規制される。
【００１３】
第２の形態においては、前記移動規制機構は、前記脛の下端側部分の外周面に解除可能に装着されるバンド部材と、前記保持部材の下端側部分を前記バンド部材に連結する連結部とを有する。
【００１４】
上記の構成によれば、バンド部材は脛の下端側部分の外周面に解除可能に装着され、保持部材の下端側部分が前記バンド部材に連結部を介して連結されているため、保持部材は脛に対して下方へ移動しない。そのため、靴下の筒状部分が保持部材を介して伸長状態に保持される。
【００１５】
第３の形態においては、前記保持部材は前記筒状部分の上端側部分から下端側部分まで延びる長さを有し、前記伸長保持ユニットは、伸長状態にした前記筒状部分の内面と前記脛の間に装着され且つ前記筒状部分を伸長状態に保持するように構成された。
【００１６】
【００１７】
第４の形態においては、ソックスサスペンダーは前記脛の左右両側に装着される１対の伸長保持ユニットを備えている。
【００１８】
第５の形態においは、前記保持部材は、合成樹脂製の０．１ｍｍ〜１．０ｍｍの厚さの板状部材であって前記筒状部分から作用する圧縮力に耐え得る剛性を有する板状部材で構成されている。
【００１９】
第６の形態においては、前記第１，第２の係合フック群は、夫々、面ファスナーのオス部材のセグメントで構成されている。
【００２０】
第７の形態においては、前記第３の係合フック群は、面ファスナーのオス部材のセグメントで構成されている。
【００２１】
第８の形態においては、前記バンド部材は、前記脛の下端側部分の外周面に装着されるバンド本体と、このバンド本体の一端部分を他端部分に解除可能に結合する結合機構とを備え、前記連結部は第１の面ファスナー機構を有する。
【００２２】
第９の形態においては、前記結合機構が第２の面ファスナー機構で構成された。
第１０の形態においては、前記脛の左右両側に装着される１対の伸長保持ユニットを備え、前記１対の伸長保持ユニットの移動規制機構が共通の１つのバンド部材を有する。
【発明の効果】
【００２３】
本発明は、上記のような種々の効果を奏する。
また、種々の好ましい形態が奏する効果については実施例の記載を参照されたい。
【図面の簡単な説明】
【００２４】
【図１】本発明の実施例１に係る人体の脚部と靴下とソックスサスペンダーの側面図である。
【図２】ソックスサスペンダーの伸長保持ユニットの正面図である。
【図３】伸長保持ユニットの側面図である。
【図４】人体の脛と靴下の筒状部分と伸長保持ユニットの縦断面図である。
【図５】変更例１に係る伸長保持ユニットの正面図である。
【図６】変更例２に係る伸長保持ユニットの正面図である。
【図７】変更例２に係る伸長保持ユニットの側面図である。
【図８】変更例３に係る伸長保持ユニットの分解斜視図である。
【図９】本発明の実施例２に係る人体の脚部と靴下とソックスサスペンダーの側面図である。
【図１０】ソックスサスペンダーの斜視図である。
【図１１】ソックスサスペンダーの外面側から視た展開図である。
【図１２】図１１のXII−XII線断面図である。
【図１３】本発明の実施例３のソックスサスペンダーの外面側から視た展開図である。
【発明を実施するための形態】
【００２５】
以下、本発明を実施するための形態について、実施例に基づいて説明する。
【実施例１】
【００２６】
次に、実施例１のソックスサスペンダーについて図面に基づいて説明する。
図１〜図４に示すように、このソックスサスペンダー１は、人体の脚部Ｌに装着される靴下Ｓ（ソックス）のうちの脛Ｍに対応する筒状部分Ｃを伸長状態に保持する（下方へ弛むのを防止する）為のソックスサスペンダー（靴下留め具）である。
【００２７】
このソックスサスペンダー１は、人体の各脛Ｍの左右両側に装着される同構造の１対の伸長保持ユニット２を備えている。但し、１つの伸長保持ユニット２を有するソックスサスペンダーも使用可能である。
【００２８】
この伸長保持ユニット２は、人体に装着される靴下Ｓのうちの脛Ｍに対応する筒状部分  Ｃの内面に沿うように装着可能な上下方向に細長い薄板状の保持部材３と、保持部材３の少なくとも上端側部分の片面に設けられ且つ靴下Ｓの筒状部分Ｃの内面部の繊維に係合可能な係合フック群４ａと、保持部材３が下方へ移動しないように規制する移動規制機構１０とを備えている。
【００２９】
前記移動規制機構１０は、保持部材３の下端側部分に設けられ且つ靴下Ｓの筒状部分  Ｃの内面部の繊維に係合可能な係合フック群４ｂを有する。
【００３０】
更に、保持部材３の長さ方向中間部分の片面にも靴下Ｓの筒状部分Ｃの内面部の繊維に係合可能な１つの係合フック群４ｃが設けられている。係合フック群４ａ，４ｂ，４ｃは保持部材３の共通の片側の面に設けられている。
保持部材３は靴下Ｓの筒状部分Ｃの下端側部分から上端側部分まで延びる長さを有する。保持部材３の上端縁と下端縁は半円形に形成されているが、この形状に限定される訳ではなく、種々の形状に形成してもよい。
【００３１】
伸長保持ユニット２は脚部Ｌに装着される靴下Ｓの筒状部分Ｃの内面と脛Ｍの間に装着され、靴下Ｓの筒状部分Ｃを伸長状態にして、係合フック群４ａを筒状部分Ｃの上端側部分の内面部に係合させ、係合フック群４ｂを筒状部分Ｃの下端側部分の内面部に係合させ、係合フック群４ｃを筒状部分Ｃの途中部の内面部に係合させ、伸長保持ユニット２により靴下Ｓの筒状部分Ｃを伸長状態に保持するように構成されている。
【００３２】
保持部材３は、合成樹脂、繊維強化合成樹脂、紙材、木材、剛性を付与した布材や皮革、薄金属板等から選択される１又は複数の材料製の０．１ｍｍ〜２．０ｍｍの厚さの薄板状部材であって靴下Ｓの筒状部分Ｃから作用する圧縮力に耐え得る剛性を有すると共に面外方向へ弾性変形可能な薄板状部材で構成することができる。
【００３３】
本実施例では、例えば、保持部材３を人体に無害のポリエチレンテレフタレート（ＰＥＴ）の透明なシート材（例えば、厚さ０．５ｍｍ、幅１５〜２５ｍｍ）で構成している。但し、前記のＰＥＴ以外に、ポリプロピレン（ＰＰ）、ポリカーボネート（ＰＣ）、ポリアセタール（ＰＯＭ）や、その他種々の合成樹脂製のシート材を採用することができる。尚、保持部材３を、赤色、青色、黄色、緑色等の何れかの色付きの合成樹脂製のシート材で製作してもよい。
【００３４】
日本人の成人男子用のソックスサスペンダー１の保持部材３の長さは、一般的な靴下Ｓの場合、例えば約１６ｃｍ〜１８ｃｍ程度でよいが、この長さに限定される訳ではなく、脛Ｍの長さに対応する筒状部分Ｃの長さに応じた長さに設定することが望ましい。子供や女子用のソックスサスペンダー１の保持部材３の長さは１０〜１６ｃｍ程度、又はそれ以下の長さに形成してもよい。
【００３５】
例えば、保持部材３の長さは、靴下Ｓの筒状部分Ｃの上端側部分からくるぶしの上側近傍部までの長さに設定し、保持部材３の下端をくるぶしＡ（図１参照）の上半部で受け止めるようしてもよい。但し、保持部材３の下端を、くるぶしＡで受け止めることなく、くるぶしＡの後側又は前側に位置させてもよい。
このように、保持部材３の下端部の位置は自由に設定可能であるので、筒状部分Ｃの長さの異なる靴下Ｓに共通のソックスサスペンダー１を適用することができる。
【００３６】
係合フック群４ａ，４ｂ，４ｃは、夫々、面ファスナー（i.e.ベルクロ）のオス部材のセグメント（小片）で構成されており、薄い膜状の粘着剤５又は接着剤により保持部材３に固着されている。係合フック群４ａ，４ｂの端縁の形状は保持部材３の形状に合せて半円形に形成され、長さ方向中間部分の係合フック群４ｃは例えば矩形に形成されている。
【００３７】
面ファスナーのオス部材のセグメントは、多数の微細なフックを有し、それらのフックが靴下Ｓの筒状部分Ｃの内面部の繊維に係合することで、係合フック群４ａ，４ｂ，４ｃが靴下Ｓの筒状部分Ｃの内面部に分離可能に結合する。尚、保持部材３の片面の全面に係合フック群を形成することも可能であるが、その場合は伸長保持ユニット２と靴下との結合力が過大になる虞がある。
【００３８】
以上説明したソックスサスペンダー１の作用、効果について説明する。
ソックスサスペンダー１を脚部Ｌに装着する場合、脚部Ｌの内股側の内側面と外側面に対応するように１対の伸長保持ユニット２を装着する。
【００３９】
この場合、１対の伸長保持ユニット２の各々について、係合フック群４ａ，４ｂ，４ｃを外側（靴下の生地側）に向けた状態で伸長保持ユニット２を靴下Ｓの筒状部分Ｃと脛Ｍの間に挿入し、筒状部分Ｃを伸長状態にし、係合フック群４ａを筒状部分Ｃの上端側部分の内面に係合させ、係合フック群４ｂを筒状部分Ｃの下端側部分の内面に係合させ、係合フック群４ａを筒状部分Ｃの途中部の内面に係合させ、係合フック群４ａ，４ｂ，４ｃに対応する筒状部分Ｃの表面を軽く押えて３つの係合フック群４ａ，４ｂ，４ｃを靴下Ｓの筒状部分Ｃの内面部の繊維に確実に係合させる（図４参照）。このとき、靴下Ｓの筒状部分Ｃの上端部Ｃｕで保持部材３の上端部３ａを覆うことが望ましい。
【００４０】
こうして、靴下Ｓの筒状部分Ｃを伸長状態に保持したまま、筒状部分Ｃが３つの係合フック群４ａ，４ｂ，４ｃにより保持部材３に固定される。保持部材３の下端側部分に対応する筒状部分Ｃの下端側部分の下方への移動量がごく僅かであるため、保持部材３の下方への移動量もごく僅かとなり、靴下Ｓの筒状部分Ｃの上端側部分の下方への移動量もごく僅かとなる。
その結果、靴下Ｓの筒状部分Ｃが伸長状態に保持され、下方へ弛んで波打つことがない。
【００４１】
尚、係合フック群４ａ，４ｂ，４ｃは、筒状部分Ｃにより外側から押えつけられるため筒状部分Ｃに対する係合が解除されにくくなる。尚、保持部材３と脛Ｍとの間に作用する摩擦力によっても伸長保持ユニット２の下方への移動が抑制される。
【００４２】
ソックスサスペンダー１の人体の脛Ｍと靴下Ｓへの着脱が簡単であり、伸長保持ユニット２が靴下Ｓの筒状部分Ｃの内側に装着されて外部に露出しないため、外観の意匠性が低下することもない。伸長保持ユニット２が薄板状部材であり且つ軽いものであるため、装着に伴う違和感も殆どない。伸長保持ユニット２の装着を解除するとき、靴下Ｓの筒状部分Ｃを係合フック群４ａ，４ｂ，４ｃから簡単に剥離することができる。
このソックスサスペンダー１においては、伸長保持ユニット２の部材数も少ないため、簡単に安価に製作することができる。
【００４３】
次に、変更例１のソックスサスペンダー１Ａについて説明する。
図５に示すように、伸長保持ユニット２Ａの保持部材３Ａの上端縁と下端縁の形状が図示のような形状（角部に丸みをつけた形状）に変更された。伸長保持ユニット２Ａは、保持部材３Ａと、係合フック群４ａＡと、移動規制機構１０としての係合フック群４ｂＡと、係合フック群４ｃＡを有する。これら係合フック群４ａＡ，４ｂＡ，４ｃＡは、前記係合フック群４ａ，４ｂ，４ｃと同様のものである。
【００４４】
次に、変更例２のソックスサスペンダー１Ｂについて説明する。
図６、図７に示すように、このソックスサスペンダー１Ｂの伸長保持ユニット２Ｂにおいては、保持部材３Ｂと係合フック群４ａＢ，４ｂＢとが合成樹脂材料（例えば、ポリエチレンテレフタレート）で一体的に形成されている。
【００４５】
保持部材３Ｂの上端側部分に設けた係合フック群４ａＢは、例えば５行５列に近い形に配置した複数の係合フック４ｈであって、保持部材３Ｂから遠ざかる程上方へ移行するように傾斜した複数の係合フック４ｈを有する。保持部材３Ｂの下端側部分に設けた係合フック群４ｂＢは、例えば５行５列に近い形に配置した複数の係合フック４ｈであって、保持部材３Ｂから遠ざかる程下方へ移行するように傾斜した複数の係合フック４ｈを有する。尚、上記の５行５列は一例にすぎず、これに限定される訳ではない。各係合フック４ｈは、先端側ほど小径化する針（長さは例えば１．０〜１．５ｍｍ）のように形成されている。尚、係合フック４ｈを湾曲状の針に形成してもよい。
【００４６】
この伸長保持ユニット２Ｂは、射出成形により製作する関係上、保持部材３Ｂの厚さを射出成形可能な厚さに設定する必要がある。
このソックスサスペンダー１Ｂでは、部材数が少ないため製作費を低減する上で有利である。尚、保持部材３Ｂの脛Ｍに接触する方の表面には、微細な凹凸模様（例えば、梨子地模様）を形成し、肌と密着する面積を小さくするように構成してもよい。
なお、係合フック群４ａＢ，４ｂＢは、面ファスナーのオス部材のセグメントを、保持部材３Ｂと一体形成してもよい。
【００４７】
次に、変更例３のソックスサスペンダー１Ｃについて説明する。
図８に示すように、ソックスサスペンダー１Ｃの伸長保持ユニット２Ｃの合成樹脂製の保持部材３Ｃは、上端側の板状部３ｍと、下端側の板状部３ｎと、上下の板状部３ｍ，３ｎを連結する複数の小径ロッド部３ｐ（小径ロッド群）とを一体形成したものである。
【００４８】
板状部３ｍには係合フック群４ａＣが貼り付けられ、板状部３ｎには係合フック群４ｂＣが貼り付けられる。尚、小径ロッド部３ｐの外径は、例えば０．５〜１．５ｍｍである。こうして、保持部材３Ｃと脛Ｍの接触面積が小さくなる。小径ロッド部３ｐの数は３つに限定されず３つ以上でもよく、２つ又は１つでもよい。また、小径ロッド部３ｐの断面形状は矩形でもよい。
【００４９】
尚、上記の小径ロッド部３ｐに代えて、小径ロッド部３ｐを金属（例えば、ステンレス）の細い棒材又はワイヤで構成し、板状部３ｍ，３ｎに形成した小孔に小径ロッド部３ｐの端部を挿入して接着した構成にしてもよい。或いは、その金属製の複数の小径ロッド部３ｐと板状部３ｍ，３ｎとを  インサート成形により一体的に成形してもよい。
【実施例２】
【００５０】
次に、実施例２のソックスサスペンダーについて図面に基づいて説明する。
図９〜図１２に示すように、ソックスサスペンダー２０は、脚部Ｌに装着される靴下Ｓのうちの脛Ｍに対応する筒状部分Ｃを伸長状態に保持する為のものである。
ソックスサスペンダー２０は、脛Ｍの左右両側面に対応する１対の伸長保持ユニット２１を備えている。
【００５１】
前記伸長保持ユニット２１は、筒状部分Ｃの内面に沿うように装着可能な細長い薄板状の保持部材２２と、保持部材２２の上端側部分に設けられ且つ筒状部分Ｃの内面部に係合可能な係合フック群２３と、脛Ｍに対して保持部材２２が下方へ移動しないように規制する移動規制機構２４とを備えている。係合フック群２３は、前記の係合フック群４ａと同様のものである。
【００５２】
伸長保持ユニット２１は、伸長状態にした筒状部分Ｃの内面と脛Ｍの間に装着され且つ筒状部分Ｃを伸長状態に保持するように構成されている。
保持部材２２の長さ方向中間部分の片面にも筒状部分Ｃの内面部に係合可能な１又は複数の係合フック群２５が設けられている。係合フック群２５は、前記の係合フック群４ｃと同様のものである。尚、係合フック群２３，２５は保持部材２２の外面（靴下の生地側）に設けられる。
【００５３】
前記保持部材２２は、筒状部分Ｃの上端側部分から下端側部分まで延びる長さを有するものである。保持部材２２は、合成樹脂（例えば、ＰＥＴ）製の０．１ｍｍ〜１．０ｍｍの厚さの薄板状部材であって筒状部分Ｃから作用する圧縮力に耐え得る剛性を有する薄板状部材で構成することができる。尚、本実施例２では、０．５ｍｍの厚さで、１５ｍｍ  〜２５ｍｍの幅の薄板状部材を採用している。尚、保持部材２２は、実施例１のソックスサスペンダー１の保持部材３と同様の種々の材料で構成することができる。
【００５４】
移動規制機構２４は、脛Ｍの下端側部分（最も細い部分）の外周面に解除可能に装着されるバンド部材２６と、保持部材２２の下端側部分をバンド部材２６に連結する連結部２７とを有する。１対の伸長保持ユニット２１は移動規制機構２４のバンド部材２６を共有している。
図１１のように展開した状態において、１対の保持部材２２の間の間隔は、脛Ｍの下端側部分の周長の約半分である。
バンド部材２６は、脛Ｍの下端側部分の外周面に装着されるバンド本体２８であって可撓性を有する布製又は合成樹脂製の帯状部材で構成されたバンド本体２８と、このバンド本体２８の一端部分２８ａを他端部分２８ｂに解除可能に結合する結合機構２９とを有する。
【００５５】
前記連結部２７は面ファスナー(i.e.ベルクロ)で構成され、この面ファスナー（２７）は、バンド本体２８の外表面に設けられたオス部材２７ａのセグメントと、保持部材２２の下端側部分の内表面に設けられたメス部材２７ｂのセグメントとを有する。メス部材２７ｂのセグメントは、バンド本体２８の幅の約２倍の長さを有する。尚、連結部２７は、バンド本体２８の内表面と保持部材２２の下端側部分の外表面とに設けることもできる。
【００５６】
それ故、メス部材２７ｂのセグメントの長さの範囲で保持部材２２をバンド本体２８に連結する連結位置を上下に変えることができ、靴下Ｓの筒状部分Ｃの長さに応じて、バンド本体２８に対する保持部材２２の位置を調節することができる。
保持部材２２の下端部がバンド本体２８の下側に突出した場合に、肌に触れる可能性のあるのはメス部材２７ｂであるため、違和感を覚えることはない。
【００５７】
前記結合機構２９は面ファスナー（i.e.ベルクロ）で構成され、この面ファスナー（２９）は、バンド本体２８の一端側部分２８ａの外表面に設けられたオス部材２９ａのセグメントと、バンド本体２８の他端側部分２８ｂの内表面に設けられたメス部材２９ｂのセグメントとを有する。尚、バンド本体２８の他端部にはメス部材２７ｂのない短い摘まみ部３０が形成されている。
【００５８】
オス部材２９ａのセグメントがメス部材２９ｂのセグメントよりも長く形成されている。これは足首の周長に応じてオス部材２９ａのセグメントに対するメス部材２９ｂのセグメントの結合位置を調節可能にするためである。
【００５９】
尚、前記の面ファスナー（２７）に代えて、粘着剤や接着剤や縫製でもって保持部材２２の下端側部分をバンド本体２８に連結してもよい。前記の面ファスナー（２９）に代えて、結合機構２９をバンド本体２８の一端部分を他端部分に解除可能に連結する公知の連結具で構成してもよい。
【００６０】
上記のソックスサスペンダー２０の作用、効果について説明する。
ソックスサスペンダー２０を脛Ｍに装着する場合には、筒状部分Ｃを脛Ｍに被せる前にソックスサスペンダー２０を脛Ｍに装着し、その後筒状部分Ｃをソックスサスペンダー２０に被せて伸長状態にし、係合フック群２３、２５を筒状部分Ｃの内面部に係合させる。すると、保持部材２２はバンド部材２６により下方へ移動しないように規制されるため、筒状部分Ｃの上端側部分が保持部材２２に設けた係合フック群２３で下方へ移動しないように規制されて筒状部分Ｃが伸長状態を保持する。
【００６１】
ソックスサスペンダー２０は、薄板状の保持部材２２と帯状のバンド部材２６等の厚さの小さな部材で構成されているため、脛Ｍに装着した状態でも全く違和感がない。
結合機構２９が面ファスナー機構で構成されているため、ソックスサスペンダー２０の脛Ｍへの着脱を簡単に能率的に行うことができる。
【００６２】
靴下Ｓの筒状部分Ｃの長さに応じて、保持部材２２の高さ位置を調節できるため、装着性に優れる。ソックスサスペンダー２０が筒状部分Ｃの内側に装着され、靴下Ｓの外観に露出しないため意匠性に優れる。バンド部材２６は脛Ｍの下端側部分の最小太さの部位に装着されるため、上下に位置ズレすることがない。そのため、ソックスサスペンダー２０の装着位置が安定し、靴下Ｓの筒状部分Ｃの伸長状態を安定的に保持することができる。
【実施例３】
【００６３】
次に、実施例３に係るソックスサスペンダー２０Ａについて説明する。
この実施例３のソックスサスペンダー２０Ａは、基本的に実施例２のソックスサスペンダー２０と同様のものであるため、同一のものに同一の符号を付して説明を省略し、主として異なる構成について説明する。
【００６４】
図１３に示すように、ソックスサスペンダー２０Ａは、１対の伸長保持ユニット２１Ａ を有し、伸長保持ユニット２１Ａは、保持部材２２Ａと、係合フック群２３と、移動規制機構２４Ａとを有する。１対の伸長保持ユニット２１Ａは、移動規制機構２４Ａのバンド部材２６Ａを共有されている。
移動規制機構２４Ａは、脛Ｍの下端側部分の外周面に解除可能に装着されるバンド部材  ２６Ａと、保持部材２２Ａの下端部をバンド部材２６Ａに連結する連結部２７Ａを有する。
【００６５】
バンド部材２６Ａは、脛Ｍの下端側部分の外周面に装着されるバンド本体２８Ａと、このバンド本体２８Ａの一端部分２８ａを他端部分２８ｂに解除可能に結合する結合機構２９とを有する。バンド本体２８Ａの幅は、可撓性が増すように保持部材２２Ａの幅より小さく形成されている。
【００６６】
１対の保持部材２２Ａと１つのバンド本体２８Ａは、合成樹脂（例えばＰＥＴ）製のシート材（例えば、厚さ０．１〜０．５ｍｍ）で一体的に形成されている。それ故、連結部  ２７Ａは、保持部材２２Ａの下端部をバンド本体２８Ａに一体的に連結している連結壁部  で構成されている。保持部材２２Ａの下端側部分の両側には応力緩和のため湾曲部２７ａが形成されている。尚、係合フック群２３，２５、結合機構２９等は、実施例２のものと同様の構造である。
【００６７】
前記の実施形態を変更する例について説明する。
１）前記係合フック群４ｃ，４ｃＡ，２５として、複数の係合フック群を設けてもよい。
２）保持部材３の脛に接触する方の表面の一部又は全部に肌に優しい布材を貼り付けてもよい。あるいは、保持部材の脛に接触する方の表面に、微細な凹凸模様（例えば、梨子地模様）を形成してもよい。
【００６８】
３）前記の保持部材３，３Ａは、合成樹脂を含浸させた樹脂含浸布で構成してもよい。
４）ソックスサスペンダー２０において、保持部材２２とバンド本体２８を樹脂含浸布で構成してもよい。
【００６９】
５）ソックスサスペンダー２０において、係合フック群２３，２５も接着又は熱融着により固着してもよい。
６）前記の保持部材３，３Ａの下端側部分に、くるぶしの表面に係合する湾曲部を形成して、くるぶしに係合させるように構成してもよい。
【００７０】
７）係合フック群を次のように金属部材で構成してもよい。
例えば、厚さ０．１〜０．２ｍｍの薄い金属板の小片を打ち抜き加工することにより、その金属板の小片に複数の係合フック群を一体的に形成し、その金属板を合成樹脂製の保持部材に接着剤又はそれ以外の固着手段により固着する。
８）ソックスサスペンダー２０において、面ファスナー（２７ａ，２７ｂ）を省略し、保持部材２２の下端側部分をバンド本体２８に粘着剤や接着剤で固着してもよい。
【００７１】
９）その他、当業者であれば、本発明の趣旨を逸脱することなく、前記の実施形態に種々の変更を付加した形態で実施可能であり、本発明はそれらも包含するものである。
【産業上の利用分野】
【００７２】
本発明は、人体の脛に簡単に着脱可能で、装着に伴う違和感もなく、靴下の筒状部分の内側に装着可能なソックスサスペンダーを提供する。
【符号の説明】
【００７３】
１，１Ａ，１Ｂ，１Ｃ，２０，２０Ａ    ソックスサスペンダー
２，２Ａ，２Ｂ，２Ｃ，２１，２１Ａ    伸長保持ユニット
３，３Ａ，３Ｂ，３Ｃ，２２，２２Ａ    保持部材
４ａ，４ｂ，４ａＡ，４ｂＡ，４ａＢ，４ｂＢ，４ａＣ，４ｂＣ  係合フック群
４ｃ，４ｃＡ，４ｄ，４ｅ    係合フック群
２３，２５    係合フック群
２４，２４Ａ    移動規制機構
２６，２６Ａ    バンド部材
２７，２７Ａ    連結部
２８，２８Ａ    バンド本体
２９            結合機構
【要約】
【課題】人体の脛に対応する靴下の筒状部分の内側に簡単に着脱可能で、筒状部分を伸長状態に保持可能なソックスサスペンダーを提供する。
【解決手段】人体に装着される靴下(S)の筒状部分(C)を伸長状態に保持する為のソックスサスペンダー(20)は、靴下(S)の筒状部分(C) の内面に沿うように装着可能な細長い保持部材(22)と、保持部材(22)の上端側部分に設けられ且つ筒状部分の内面部に係合可能な第１の係合フック群(23)と、保持部材(22)が下方へ移動しないように規制する移動規制機構(24)とを有する伸長保持ユニット(21)を備えている。
【選択図】図１１【図１】
0006945102.tif 000002
【図２】
0006945102.tif 000003
【図３】
0006945102.tif 000004
【図４】
0006945102.tif 000005
【図５】
0006945102.tif 000006
【図６】
0006945102.tif 000007
【図７】
0006945102.tif 000008
【図８】
0006945102.tif 000009
【図９】
0006945102.tif 000010
【図１０】
0006945102.tif 000011
【図１１】
0006945102.tif 000012
【図１２】
0006945102.tif 000013
【図１３】
0006945102.tif 000014